(57)【要約】【課題】  決済端末が記憶するネガデータリストを更新する頻度を多くし、ネガデータリストを速やかに新しくすることを目的とする。【解決手段】  決済端末３は、カードが記憶するネガリストバージョン情報５１２と決済端末３が記憶するネガリストバージョン情報３８３との新旧を比較する第１チェック部３４を有する。第１チェック部３４が、前記情報媒体から読み出したバージョン情報５１２の方が新しいと判断した場合、更新処理部３７は、カードが記憶する決済端末識別情報５１３に該当する決済端末３へアクセスし取得したネガデータリストおよびバージョン情報を使って、自決済端末のネガデータリスト３８２およびバージョン情報３８３を更新する。【選択図】  図１
2011242926.tif 000002
【特許請求の範囲】
【請求項１】
リーダライタ機能を介して情報媒体に対し読み書きを行う複数の決済端末と、前記情報媒体の情報媒体番号に基づき生成するネガデータリストおよび当該ネガデータリストのバージョン情報を前記決済端末へ配信する配信センタとが、ネットワークで接続される情報処理システムにおいて、
前記情報媒体は、当該情報媒体番号と、決済端末から書き込まれるネガデータリストのバージョン情報および当該決済端末識別情報と、を記憶する記憶部を有し、
前記決済端末は、
当該決済端末識別情報と、ネガデータリストおよび当該ネガデータリストのバージョン情報と、を記憶する記憶部と、
前記情報媒体が記憶するバージョン情報と当該決済端末が記憶するバージョン情報との新旧を比較する第１チェック部と、
自決済端末の記憶部のネガデータリストおよびネガデータリストのバージョン情報を更新する更新処理部と、
を有し、
前記決済端末の第１チェック部が、前記情報媒体から読み出したバージョン情報の方が新しいと判断した場合、
前記更新処理部は、前記情報媒体が記憶する決済端末識別情報に該当する決済端末へアクセスし取得したネガデータリストおよびバージョン情報を使って自決済端末の記憶部を更新する
ことを特徴とする情報処理システム。
【請求項２】
前記決済端末は、前記第１チェック部が前記情報媒体から読み出したバージョン情報の方が古いと判断した場合、前記情報媒体が記憶する情報媒体番号と当該決済端末が記憶するネガデータリストを比較し前記情報媒体が取引可能かどうかを判断する第２チェック部を有することを特徴とする請求項１に記載の情報処理システム。
【請求項３】
前記決済端末は、前記第１チェック部が前記情報媒体から読み出したバージョン情報の方が古いと判断した場合、かつ、前記第２チェック部が前記情報媒体が取引可能と判断した場合、前記情報媒体が記憶するネガデータリストのバージョン情報および決済端末識別情報に対し、当該決済端末の記憶部が記憶するネガデータリストのバージョン情報と決済端末識別情報を書き込んで更新させることを特徴とする請求項２に記載の情報処理システム。
【請求項４】
前記決済端末の記憶部は、当該決済端末が通信可能な他決済端末のリストである決済端末識別情報リストを有し、
前記更新処理部は、前記情報媒体が記憶する決済端末識別情報が前記決済端末識別情報リストにない場合、ネガデータリストを前記配信センタへアクセスし取得したネガデータリストおよびバージョン情報を使って自決済端末の前記記憶部を更新する
ことを特徴とする請求項１〜３のいずれか１項に記載の情報処理システム。
【請求項５】
リーダライタ機能を介して情報媒体に対し読み書きを行う複数の決済端末と、前記情報媒体の情報媒体番号に基づき生成するネガデータリストおよび当該ネガデータリストのバージョン情報を前記決済端末へ配信する配信センタとが、ネットワークで接続される情報処理システムの情報処理方法において、
前記決済端末は、
前記情報媒体が記憶するネガデータリストのバージョン情報および決済端末識別情報を読み出し、
前記情報媒体が記憶するバージョン情報と当該決済端末が記憶するバージョン情報との新旧を比較し、
前記情報媒体から読み出したバージョン情報の方が新しいと判断した場合、前記情報媒体が記憶する決済端末識別情報に該当する決済端末へアクセスし取得したネガデータリストおよびバージョン情報を使って自決済端末が記憶するネガデータリストおよびバージョン情報を更新する
ことを特徴とする情報処理方法。
【請求項６】
情報媒体の情報媒体番号に基づき生成するネガデータリストおよび当該ネガデータリストのバージョン情報を配信する配信センタとネットワークで接続される決済端末において、
リーダライタ機能を介して前記情報媒体に対し読み書きを行うリーダライタ通信部と、
当該決済端末識別情報と、ネガデータリストおよび当該ネガデータリストのバージョン情報と、を記憶する記憶部と、
前記情報媒体が記憶するバージョン情報と当該決済端末が記憶するバージョン情報との新旧を比較する第１チェック部と、
前記第１チェック部が前記情報媒体から読み出したバージョン情報の方が新しいと判断した場合、前記情報媒体から読み出した決済端末識別情報に該当する決済端末へアクセスし取得したネガデータリストおよびバージョン情報を使って自決済端末が記憶するネガデータリストおよびバージョン情報を更新する更新処理部と、
を有することを特徴とする決済端末。
【請求項７】
リーダライタ機能を介して決済端末から書き込まれる情報媒体において、
当該情報媒体番号と、
前記決済端末から書き込まれる、情報媒体番号に基づき生成されたネガデータリストのバージョン情報と、
当該情報媒体に前記ネガデータリストのバージョン情報を書き込んだ前記決済端末の決済端末識別情報と、
を記憶する記憶部を有することを特徴とする情報媒体。
【発明の詳細な説明】
【技術分野】
【０００１】
本発明は、クレジットカード等の不正使用を防止するための情報処理システム、情報処理方法、決済端末、情報媒体に関する。
【背景技術】
【０００２】
クレジットカードを利用するシステムでは、クレジットカードと通信を行う決済端末が、使用することのできない無効なカード情報のリストであるネガデータリストを定期的に配信センタから取得し、取得したネガデータリストを決済端末内に記憶しておく。決済時には、決済端末内に記憶されているネガデータリストと使用されるカードのカード情報とを照会することで、クレジットカードの有効性を確認するネガチェックが行われる。このようなネガチェックを行うネガデータ配信システムの先行技術として、特許文献１が提案されている。
【先行技術文献】
【特許文献】
【０００３】
【特許文献１】特開２００５−２３４６４２号公報
【発明の概要】
【発明が解決しようとする課題】
【０００４】
しかしながら、特許文献１の先行技術では、決済端末内に記憶されているネガデータリストが、たとえば１回／日のような頻度で更新されるため、ネガデータリストが最新に保たれていないことがあり、カードの不正使用を防止できないケースが生じる。
【０００５】
本発明は、上記課題を解決するためになされたもので、決済端末が記憶するネガデータリストを更新する頻度を多くし、ネガデータリストを速やかに新しくすることを目的とする。
【課題を解決するための手段】
【０００６】
上記課題を解決するために、本発明の情報処理システムは、リーダライタ機能を介して情報媒体に対し読み書きを行う複数の決済端末と、前記情報媒体の情報媒体番号に基づき生成するネガデータリストおよび当該ネガデータリストのバージョン情報を前記決済端末へ配信する配信センタとが、ネットワークで接続される情報処理システムにおいて、前記情報媒体は、当該情報媒体番号と、決済端末から書き込まれるネガデータリストのバージョン情報および当該決済端末識別情報と、を記憶する記憶部を有し、前記決済端末は、当該決済端末識別情報と、ネガデータリストおよび当該ネガデータリストのバージョン情報と、を記憶する記憶部と、前記情報媒体が記憶するバージョン情報と当該決済端末が記憶するバージョン情報との新旧を比較する第１チェック部と、自決済端末の記憶部のネガデータリストおよびネガデータリストのバージョン情報を更新する更新処理部と、を有し、前記決済端末の第１チェック部が、前記情報媒体から読み出したバージョン情報の方が新しいと判断した場合、前記更新処理部は、前記情報媒体が記憶する決済端末識別情報に該当する決済端末へアクセスし取得したネガデータリストおよびバージョン情報を使って自決済端末の記憶部を更新することを特徴とする。
【発明の効果】
【０００７】
本発明によれば、決済端末が記憶するネガデータリストを更新する頻度を多くし、ネガデータリストを速やかに新しくすることができる。
【図面の簡単な説明】
【０００８】
【図１】本発明の情報処理システムにおけるシステム構成図である。
【図２】決済端末３の動作を示すフローチャートである。
【図３】決済端末３において、ネガデータリストおよびネガデータリストのバージョン情報を更新する動作を示すフローチャートである。
【発明を実施するための形態】
【０００９】
添付図面を適宜参照しながら、本発明にかかる情報処理システムの好適な実施の形態について説明する。
図１は、本発明の情報処理システムにおけるシステム構成図である。
【００１０】
情報処理システムは、第１ネットワーク２および第２ネットワーク６を介して複数の決済端末３へ、ネガデータリストおよび当該ネガデータリストのバージョン情報を配信する配信センタ１、決済端末３がリーダライタ（Ｒ／Ｗ）４を介して読み書きを行う対象としてのカード５から構成される。複数の決済端末３は、互いに第２ネットワーク６を介して接続されている。第１ネットワーク２は、たとえば、決済端末３が配信センタ１へダイヤルアップ接続するためのインターネットである。第２ネットワーク６は、たとえば、同一店舗内に敷設されるＬＡＮで構成する。
【００１１】
Ｒ／Ｗ４は、図１に示すように決済端末３と別体であっても、図示しないが決済端末３と同体であっても、どちらでもよい。カード５は、決済端末３から読み書き可能な情報媒体であればよく、たとえば接触式／非接触式ＩＣカードや、ＩＣカードを内蔵する携帯端末が挙げられる。
【００１２】
配信センタ１は、ネガデータリストを一括して管理しているセンタである。管理されているネガデータリストは、カード紛失時などに利用者から連絡されることにより、取引を停止すべきネガデータリストとして登録される。ネガデータは、少なくともカード５に一意に割り振られているカード番号を含むように生成される。配信センタ１は決済端末に、その時点で最新のネガデータリストと、当該ネガデータリストのバージョン情報を送信する。ネガデータリストのバージョン情報は、配信センタ１において、ネガデータリストが更新されるたびに一意に割り当てられるものであり、ネガデータリストの更新順番も表す。ネガデータリストのバージョン情報は、たとえば、ネガデータリストの更新が行われた日時などをもとに生成される。
【００１３】
配信センタ１は、決済端末３に対し、決済端末３の電源投入時や定時処理など定期的にネガデータリストとこのバージョン情報を送信し、決済端末３が有するネガデータリストとこのバージョン情報を更新させる。このとき、通信エラーや、決済端末３の電源がオフだったなどの理由により、複数あるうちの一部の決済端末３が有するネガデータリストとバージョン情報が、新しい状態に更新されていないケースがある。本発明は、このようなネガデータリストとバージョン情報が新しい状態に更新されていない決済端末を、新しい状態へと更新する技術として有効である。
【００１４】
カード５は、記憶部５１を有する。記憶部５１は、カード５に一意に割り当てられたカード番号５１１と、決済端末３がカード５に書き込むことで更新されるネガデータリストのバージョン情報５１２および当該決済端末識別情報５１３を記憶する。バージョン情報５１２および決済端末識別情報５１３が決済端末３により更新される条件は、カード５が決済端末３と通信を行い、カード５のバージョン情報が決済端末３のバージョン情報より古く、かつカード５が有効な（ネガデータリストにない）場合である。このとき、バージョン情報５１２および決済端末識別情報５１３は、カード５を有効だと判断した決済端末３が有するバージョン情報および決済端末識別情報の値で、決済端末３によって更新される。
【００１５】
このような記憶部を有するカード５によると、決済端末３が記憶するネガデータリストおよびこのバージョン情報を、他の決済端末へアクセスすることで更新できる。したがって、従来技術に対し、配信センタ１の負荷を軽減し、さらには第１ネットワーク２のトラフィック量を小さくした形で、決済端末３が新しいネガデータを保有できる。
【００１６】
決済端末３は、Ｒ／Ｗ４を介してカード５へ読み書きを行うＲ／Ｗ通信部３１、第１ネットワーク２を介して配信センタ１と通信する配信センタ通信部３２、第２ネットワーク６を介して他の決済端末と通信する他決済端末通信部３３といった通信手段を有する。
【００１７】
Ｒ／Ｗ通信部３１は、カード５が記憶するバージョン情報が決済端末３のバージョン情報より古く、かつカード５が有効な場合に、この決済端末３が有するバージョン情報および決済端末識別情報の値で、カード５のバージョン情報５１２および決済端末識別情報５１３を更新する。
【００１８】
決済端末３は、さらに、第１チェック部３４、第２チェック部３５、決済処理部３６、更新処理部３７、記憶部３８を有する。記憶部３８は、自決済端末の番号である自決済端末識別情報３８１と、ネガデータリスト３８２と、ネガデータリストバージョン情報３８３と、自決済端末３が第２ネットワーク６を介して相互に通信可能な決済端末のリストである決済端末識別情報リスト３８４と、を記憶している。決済端末識別情報リスト３８４は、たとえば、同じ店舗内に設置されている決済端末のリストがあらかじめ設定されている。
【００１９】
第１チェック部３４は、カード５が記憶するネガデータリストバージョン情報５１２と、決済端末３が記憶するネガデータリストバージョン情報３８３との新旧を比較する。第２チェック部３５は、第１チェック部３４で新旧を比較した結果、カード５が記憶するネガデータリストバージョン情報５１２の方が古い場合に、カード５の有効性を確認するため、カード５のカード番号５１１が決済端末３のネガデータリスト３８２に存在するかどうかを比較する。第２チェック部３５は、カード番号５１１が決済端末３のネガデータリスト３８２に存在したら不正カードと判断し、カード番号５１１が決済端末３のネガデータリスト３８２に存在しなければ有効カードと判断する。決済処理部３６は、第２チェック部３５が有効カードだと判断したカード５に対し、取引の決済を行う。
【００２０】
更新処理部３７は、決済端末３が記憶するネガデータリスト３８２と、ネガデータリストバージョン情報３８３とを、より新しい状態へと更新する。更新処理部３７は、配信センタ１から受信したネガデータリストとネガデータリストバージョン情報が、現状よりも新しい情報だと判断したとき、これらの値を使って、決済端末３が記憶するネガデータリスト３８２とネガデータリストバージョン情報３８３とを更新する。また、更新処理部３７は、第１チェック部３４が新旧を比較した結果、カード５が記憶するネガデータリストバージョン情報５１２の方が新しい場合に、自決済端末３の記憶部３８を更新する。具体的には、カード５が記憶する決済端末識別情報５１３の決済端末へアクセスし、得たネガデータリストとネガデータリストバージョン情報を使って、自決済端末３内のネガデータリスト３８２とネガデータリストバージョン情報３８３を更新する。
【００２１】
なお、決済端末３の各機能・処理部３１〜３８に関する上記説明は、一実施形態を示したものであり、本発明の権利範囲はこの実施形態に限定されるものではない。本発明で説明した１つの機能・処理部を、複数の手段に分割して担わせることもできる。本発明で説明した複数の機能・処理部を、１つの手段に統合して担わせることもできる。本発明で説明したある機能・処理部から一部分だけを取り出し、本発明で説明した他の機能・処理部へ統合して担わせることもできる。どんな機能・処理部をどのように具体的に実現するかは、当業者が有する知識を使って適宜設計できる事項である。
【００２２】
図２は、カード５を使って取引を決済するときの、決済端末３の動作を示すフローチャートである。
商取引の開始にともない、顧客または店員などの利用者がカード５をＲ／Ｗ４に読み取らせると、決済端末３のＲ／Ｗ通信部３１は、カード５のネガデータリストバージョン情報５１２と決済端末識別情報５１３を読み取る（ステップＳ１）。また、決済端末３の不図示のＣＰＵは、自決済端末の記憶部３８から、ネガデータリストバージョン情報３８３と自決済端末識別情報３８１を得る（ステップＳ２）。
【００２３】
決済端末３の第１チェック部３４は、カード５のネガデータリストバージョン情報５１２と、決済端末３のネガデータリストバージョン情報３８３との新旧を比較する（ステップＳ３）。ステップＳ３において、決済端末３のネガデータリストバージョン情報３８３の方が新しい（カード５のネガデータリストバージョン情報５１２の方が古い）場合は、ネガデータリストを使ったネガチェックに進む（ステップＳ３，Ｙｅｓ）。カード５のバージョン情報５１２が、決済端末３のバージョン情報３８３より古いということは、カード５がバージョン情報の古い決済端末でしかネガチェックを受けていないことを意味する。
【００２４】
ステップＳ３でＹｅｓの場合、決済端末３の不図示のＣＰＵは、自決済端末の記憶部３８からネガデータリスト３８２を得る（ステップＳ４）。決済端末３のＲ／Ｗ通信部３１は、カード５からカード番号５１１を読み取る（ステップＳ５）。なお、ステップＳ５におけるカード番号５１１の取得は、ステップＳ１のときに処理してもよい。
【００２５】
決済端末３の第２チェック部３５は、カード５のカード番号５１１が自決済端末のネガデータリスト３８２にある場合（ステップＳ６，Ｙｅｓ）、カード５を不正カードだと判断してネガチェック結果をＮＧとし（ステップＳ７）、処理を終了する。なお、ネガチェック結果がＮＧの場合、決済端末３がカード５の所定の領域に不正カードであることを書き込み、自端末および他の決済端末３で決済取引ができないように処理することで、より安全な取引を実現するように構成することもできる。
【００２６】
決済端末３の第２チェック部３５は、カード５のカード番号５１１が自決済端末のネガデータリスト３８２にない場合（ステップＳ６，Ｎｏ）、決済端末３のＲ／Ｗ通信部３１が、自決済端末のバージョン情報３８３と自決済端末識別情報３８１をカード５に書き込んで、カード５の記憶部５１を更新させる（ステップＳ１１）。そして、カード５が有効カードだと判断してネガチェック結果をＯＫとし（ステップＳ１２）、決済端末３の決済処理部３６が取引にともなう決済処理を行い（ステップＳ１３）、処理を終了する。ステップＳ１１のようにカード５を更新することで、カード５の記憶部の状態を新しくするために、カード５が、どの決済端末でどのバージョン情報によるネガチェックを受けたかが分かる。なお、ステップＳ１１とステップＳ１２の処理順序は入れ替えてもよい。
【００２７】
ステップＳ３において、カード５のバージョン情報５１２の方が新しい、もしくは決済端末３のバージョン情報３８３と等しい場合は、カード５が有効カードだと判断してネガチェック結果をＯＫとし（ステップＳ２１）、決済処理部３６が取引にともなう所定の決済処理を行う（ステップＳ２２）。つまり、第２チェック部３５によるネガデータリストを使ったネガチェックをスキップして進むので、決済端末３におけるネガチェックの処理負荷を軽減できる。なぜなら、カード５のバージョン情報５１２が決済端末３のバージョン情報３８３の値以上ということは、カード５がこの決済端末３よりも新しいネガデータリストを使ったネガチェックを受けたことを意味するので、古いバージョン情報を持つ決済端末でネガチェックする必要がなくなるためである。
【００２８】
決済処理（ステップＳ２２）を行った後、決済端末３の更新処理部３７は、決済端末３のネガデータリスト３８２およびネガデータリストバージョン情報３８３の更新が必要かどうかを、第１チェック部３４の比較結果に基づき判断する（ステップＳ２３）。
【００２９】
第１チェック部３４がステップＳ３で新旧を比較した結果、カード５のバージョン情報５１２が決済端末３のバージョン情報３８３と等しい場合は、更新処理部３７は決済端末３の記憶部３８を更新する必要がないと判断し（ステップＳ２３，Ｎｏ）、処理を終了する。第１チェック部３４がステップＳ３で新旧を比較した結果、カード５のバージョン情報５１２が決済端末３のバージョン情報３８３より新しい場合は、更新処理部３７は決済端末３のネガデータリスト３８２およびバージョン情報３８３を更新する必要があると判断し（ステップＳ２３，Ｙｅｓ）、更新処理部３７がネガデータ更新処理を行い（ステップＳ２４）、処理を終了する。
【００３０】
図３は、決済端末３の更新処理部３７が、図２のステップＳ２４において、決済端末３が記憶するネガデータリスト３８２およびネガデータリストのバージョン情報３８３を更新する動作を示すフローチャートである。
【００３１】
更新処理部３７は、ステップＳ１でカード５から読み取った決済端末識別情報５１３が、決済端末３の決済端末識別情報リスト３８４にあるかどうかをチェックする（ステップＳ３１）。
【００３２】
ステップＳ３１でＹｅｓの場合、更新処理部３７は、第２ネットワーク６を介して決済端末識別情報５１３の決済端末へアクセスしてネガデータリストおよびネガデータリストバージョン情報を取得する（ステップＳ３２）。そして、これらのネガデータを使って、自決済端末のネガデータリスト３８２およびバージョン情報３８３を更新し（ステップＳ３３）、更新処理を終了する。このように、他の決済端末から取得した情報を使ってネガデータリスト３８２およびバージョン情報３８３を更新するので、配信センタ１へネガデータの配信を要求するケースが減り、配信センタ１の負荷を軽減でき、第１ネットワーク２のトラフィック量も小さくできる。
【００３３】
なお、たとえば１日に数回、ネガデータリストが更新される場合などは、他の決済端末から取得したネガデータリストおよびバージョン情報が、必ずしも最新でない可能性もあるが、このような場合でも本発明は次の効果を有する。すなわち、ネガデータリストを更新する際、配信センタ１が、決済端末３が保有するネガデータリストと最新ネガデータリストとの差分を配信する情報処理システムを考える。この場合は、他の決済端末から取得することで少しずつでもネガデータリスト３８２およびバージョン情報３８３を更新しておくことで、さらに最新データを配信センタ１から得て更新するときの、配信センタ１が決済端末３へ送信するデータ量を小さくできる。よって、配信センタ１の負荷を軽減でき、また、データ量を小さくできることにともない、第１ネットワーク２のトラフィック量を小さくできる。
【００３４】
ステップＳ３１でＮｏの場合、カード５から読み取った決済端末識別情報５１３へアクセスできないので、更新処理部３７は、第１ネットワーク２を介して配信センタ１へアクセスして最新のネガデータリストおよびネガデータリストバージョン情報を取得する（ステップＳ３４）。そして、これらのネガデータを使って、自決済端末のネガデータリスト３８２およびネガデータリストバージョン情報３８３を更新し（ステップＳ３３）、更新処理を終了する。
【００３５】
このように、他の決済端末からネガデータを取得できない場合は、配信センタ１からネガデータを取得することで、情報処理システム全体としては配信センタ１へネガデータの配信を要求するケースが減って配信センタ１の負荷を軽減し、さらには第１ネットワーク２のトラフィック量を小さくした形で、決済端末３が確実に最新のネガデータを保有できる。
【００３６】
なお、本発明にかかる図３のネガデータ更新処理は、決済取引時、もしくは決済取引完了後に行われる処理であり、このネガデータ更新処理とは別に、電源投入時や定時処理など定期的にネガデータ更新処理が行われている。すなわち、本発明によると、定期的にネガデータ更新処理が行われる先行技術文献１のような従来技術よりも、ネガデータの更新頻度が多くなり、よって決済端末のネガデータを従来技術よりも速やかに新しくできる。この結果、不正カードの使用を極力減らすことが可能となる。
【符号の説明】
【００３７】
１    配信センタ
２    第１ネットワーク
３    決済端末
４    Ｒ／Ｗ
５    カード
６    第２ネットワーク
【図１】
2011242926.tif 000003
【図２】
2011242926.tif 000004
【図３】
2011242926.tif 000005